(57)【特許請求の範囲】
【請求項１】
光スペクトルの可視領域の特定領域に該当する光を検出する第１受光部と、
前記第１受光部と同一層に形成され、前記光スペクトルの可視領域に該当するすべての光を検出する第２受光部と、
前記第１受光部及び前記第２受光部の下部に形成され、前記光スペクトルの赤外領域に該当する光を検出する第３受光部と、を含み、
前記第１受光部は第１のリードアウト回路に接続されて光の第１の情報を提供し、前記第２受光部と前記第３受光部は前記第１のリードアウト回路と異なる第２のリードアウト回路に接続されて前記第１の情報より広い帯域にある光の第２の情報を提供し、前記第２受光部を通じて得られた輝度情報及び前記第３受光部を通じて得られたＩＲ情報を用いて、低照度環境における高感度映像を生成し、
前記第１受光部と前記第３受光部は独立的に形成され、前記第２受光部と前記第３受光部は一体に形成されることを特徴とするイメージセンサー。
【請求項２】
前記第１受光部は、
入力される光に対する色情報を抽出することを特徴とする請求項１に記載のイメージセンサー。
【請求項３】
前記色情報は、
ＲＧＢ信号またはＣＭＹ信号であることを特徴とする請求項２に記載のイメージセンサー。
【請求項４】
前記第１受光部は、
赤色光、緑色光または青色光を感知し、その感知された光量を電気的な信号に変換して出力することを特徴とする請求項１に記載のイメージセンサー。
【請求項５】
前記第２受光部は、
白色光を感知し、その感知された光量を電気的な信号に変換して出力することを特徴とする請求項１に記載のイメージセンサー。
【請求項６】
前記第３受光部は、
赤外光を感知し、その感知された光量を電気的な信号に変換して出力することを特徴とする請求項１に記載のイメージセンサー。
【請求項７】
前記第１受光部及び前記第２受光部は、
前記赤外領域に該当する光を透過させることを特徴とする請求項１に記載のイメージセンサー。
【請求項８】
前記イメージセンサーは、
上層と下層との構造を有し、
前記上層には、前記第１受光部及び前記第２受光部が形成され、前記下層には、前記第３受光部が形成されることを特徴とする請求項１に記載のイメージセンサー。
【請求項９】
前記イメージセンサーは、
赤外線遮断機能のないカラーフィルターをさらに含み、
前記カラーフィルターは、前記光スペクトルの可視領域の特定領域に該当する光と赤外領域に該当する光とを透過させるカラーパートと、
前記光スペクトルのあらゆる領域に該当する光を透過させる透明パートと、を含むことを特徴とする請求項１に記載のイメージセンサー。
【請求項１０】
前記カラーパートの下部には、前記第１受光部が配され、
前記透明パートの下部には、前記第２受光部が配されることを特徴とする請求項９に記載のイメージセンサー。
【請求項１１】
光スペクトルの可視領域に該当する光のうち特定領域に該当する光を検出するＲＧＢ画素部と、
前記光スペクトルの可視領域に該当するすべての光と、赤外領域に該当する光を検出するＷ＋ＩＲ画素部と、
を含み、
前記Ｗ＋ＩＲ画素部は、
前記ＲＧＢ画素部と同一層に形成され、前記光スペクトルの可視領域に該当するすべての光を検出するＷ画素部と、
前記ＲＧＢ画素部及び前記Ｗ画素部の下部に形成され、前記光スペクトルの赤外領域に該当する光を検出するＩＲ画素部と、
を含み、
前記ＲＧＢ画素部は第１のリードアウト回路に接続されて光の第１の情報を提供し、前記Ｗ＋ＩＲ画素部は前記第１のリードアウト回路と異なる第２のリードアウト回路に接続されて前記第１の情報より広い帯域にある光の第２の情報を提供し、前記Ｗ画素部を通じて得られた輝度情報及び前記ＩＲ画素部を通じて得られたＩＲ情報を用いて、低照度環境における高感度映像を生成し、
前記ＲＧＢ画素部と前記Ｗ＋ＩＲ画素部は独立的に形成され、前記Ｗ＋ＩＲ画素部は一体に形成される、
ことを特徴とするイメージセンサー。
【請求項１２】
前記ＲＧＢ画素部は、
赤色、緑色または青色光を感知し、その感知された光量を電気的な信号に変換して出力する多数の受光素子で構成されることを特徴とする請求項１１に記載のイメージセンサー。
【請求項１３】
前記Ｗ＋ＩＲ画素部の光露出時間は、
前記ＲＧＢ画素部の光露出時間より短くなるように、前記Ｗ＋ＩＲ画素部及び前記ＲＧＢ画素部がそれぞれ制御されることを特徴とする請求項１１に記載のイメージセンサー。
【発明の詳細な説明】
【技術分野】
【０００１】
本発明は、イメージセンサーに係り、特に、カラー映像と、ＩＲ情報を含む白黒映像とを同時に獲得することができる積層型イメージセンサーに関する。
【背景技術】
【０００２】
最近、デジタルカメラ、カメラ付き携帯電話のように高解像度カメラを装着した装置の普及が拡散している。このようなカメラは、通常、レンズ、イメージセンサー、ＤＳＰ（Ｄｉｇｉｔａｌ  Ｓｉｇｎａｌ  Ｐｒｏｃｅｓｓｏｒ）などを含んで構成される。この際、レンズは、被写体からの反射光を集めてイメージセンサーに伝達する役割を、イメージセンサーは、集められた光を検出して電気的な信号に変換する役割を果たす。ＤＳＰは、撮影された映像をユーザが見られるように、または撮影された映像を保存できるように、イメージセンサーの電気的な信号を映像処理する機能を担当する。
【０００３】
このうちイメージセンサーは、大きく撮像管と固体イメージセンサーとに分けることができるが、固体イメージセンサーの代表的な例としては、電荷結合素子（ＣＣＤ）と金属酸化物半導体（ＣＭＯＳ）とがある。
【０００４】
ＣＣＤセンサーは、複数個のキャパシタが対に相互連結されている回路で構成されており、各キャパシタは蓄積された電荷を伝達する。また、ＣＣＤチップは、多くのフォトダイオードが集まっているチップに、それぞれのフォトダイオードに光が照射されれば、光量によって電子が発生する。以後、当該フォトダイオードで発生した情報を再構成することでイメージ情報を作ることが可能である。
【０００５】
ＣＭＯＳイメージセンサーは、汎用半導体製造装置を用いて製造が可能であるために、ＣＣＤイメージセンサーより安価に製造することができる長所がある。これにより、ＣＭＯＳイメージセンサーは、低価のデジタルカメラや遅いフレームのテレビカメラで活発に使われている。しかし、ＣＭＯＳイメージセンサーは、低照度状況で素子が容易に不安定になって撮影された画像にノイズが多発する短所がある。
【０００６】
一方、ＣＭＯＳイメージセンサーと関連して、最近提案されたＣＩＳ（Ｃｏｎｔａｃｔ  Ｉｍａｇｅ  Ｓｅｎｓｏｒ）は、制限された大きさでの有効ピクセル数の増加によって撮像されたイメージの感度が急減する問題点がある。
【発明の概要】
【発明が解決しようとする課題】
【０００７】
本発明の目的は、カラー映像と、ＩＲ情報を含む白黒映像とを同時に獲得することができる積層型イメージセンサーを提供することである。
【課題を解決するための手段】
【０００８】
本発明の一態様による積層型イメージセンサーは、光スペクトルの可視領域の特定領域に該当する光を検出する第１受光部と、第１受光部と同一層に形成され、光スペクトルの可視領域に該当するすべての光を検出する第２受光部と、第１受光部または第２受光部の下部に形成され、光スペクトルの赤外領域に該当する光を検出する第３受光部と、を含みうる。
【０００９】
前記第１受光部は、入力される光に対する色情報、例えば、ＲＧＢ信号またはＣＭＹ信号などを抽出することが可能である。また、第２受光部は、白色光を検出することができ、第３受光部は、赤外光を検出することができる。
【００１０】
また、第１受光部または第２受光部は、前記イメージセンサーの上層に形成され、第３受光部は、前記イメージセンサーの下層に形成されることが可能である。この際、第２受光部と第３受光部は、一体にまたは独立的に形成される。
【００１１】
一体に形成される場合、第３受光部が第２受光部の下部にのみ形成されるか、第２受光部の下部及び第１受光部の下部にかけて形成されることが可能である。
【００１２】
また、下層に形成された第３受光部が赤外光を検出できるように、上層の第１受光部及び第２受光部は赤外領域に該当する光をそのまま透過させることが可能である。
【００１３】
本発明の他の態様による積層型イメージセンサーは、赤外線遮断機能のないカラーフィルターをさらに含みうるが、前記カラーフィルターは光スペクトルの可視領域の特定領域に該当する光と、赤外領域に該当する光を透過させるカラーパートと、光スペクトルのあらゆる領域に該当する光を透過させる透明パートと、を含みうる。
【００１４】
このような場合、カラーパートの下部には、第１受光部が配され、透明パートの下部には、第２受光部が配されることが可能である。
【００１５】
本発明のまた他の態様による積層型イメージセンサーは、光スペクトルの可視領域に該当する光のうち特定領域に該当する光を検出するＲＧＢ画素部と、光スペクトルの可視領域に該当するすべての光と、赤外領域に該当する光を検出するＷ＋ＩＲ画素部と、を含みうる。
【００１６】
ここで、ＲＧＢ画素部は、それぞれ赤色、緑色または青色光を感知し、その感知された光量を電気的な信号に変換して出力する多数の受光素子で構成されうる。
【００１７】
また、Ｗ＋ＩＲ画素部は、ＲＧＢ画素部と同一層に形成され、光スペクトルの可視領域に該当するすべての光を検出するＷ画素部と、ＲＧＢ画素部及びＷ画素部の下部に形成され、光スペクトルの赤外領域に該当する光を検出するＩＲ画素部と、を含みうる。
【００１８】
また、ＲＧＢ画素部及びＷ＋ＩＲ画素部は、別途のリードアウト回路によってそれぞれ制御されることが可能であり、このような別途の制御を通じて各画素部の光露出時間を調節して、Ｗ＋ＩＲ画素部の光露出時間がＲＧＢ画素部の光露出時間より短くすることができる。
【発明の効果】
【００１９】
本発明によれば、可視帯域より広域のＩＲ信号を利用するので、低照度環境でも高感度映像を獲得することができ、カラー映像を平面的にそれぞれ抽出するために色成分間のカラークロストークを減らしうる。
【図面の簡単な説明】
【００２０】
【図１】本発明の一実施形態による積層型イメージセンサーの全体構造を示す図である。
【図２】光スペクトルの各領域を示す図である。
【図３】図１による積層型イメージセンサーに使用可能なカラーフィルターの一例を示す図である。
【図４】本発明の一実施形態による積層型イメージセンサーの概略的な断面を示す図である。
【図５】本発明の他の実施形態による積層型イメージセンサーの全体構造を示す図である。
【図６】図５による積層型イメージセンサーに使用可能なカラーフィルターの一例を示す図である。
【図７】本発明の一実施形態によるリードアウト回路を示す図である。
【図８】本発明の一実施形態によってそれぞれの画素を別途に制御するための信号の一例を示す図である。
【図９】本発明の一実施形態によって第２受光部と第３受光部とが一体にまたは独立的に形成された例を示す図である。
【図１０】本発明の一実施形態によって第２受光部と第３受光部とが一体にまたは独立的に形成された例を示す図である。
【図１１】本発明の一実施形態によって第２受光部と第３受光部とが一体にまたは独立的に形成された例を示す図である。
【発明を実施するための形態】
【００２１】
以下、添付した図面を参照して、本発明の実施形態を詳しく説明する。本発明を説明するに当たって、関連した公知機能または構成についての具体的な説明が、本発明の要旨を不明にする恐れがあると判断される場合には、その詳細な説明を省略する。また、後述する用語は、本発明での機能を考慮して定義された用語であって、これは、ユーザ、運用者の意図または慣例などによって変わりうる。したがって、その定義は、本明細書全般に亘った内容に基づいて下さなければならない。
【００２２】
図１は、本発明の一実施形態によるイメージセンサーを示す。図１を参照するに、本発明の一実施形態によるイメージセンサーは、第１受光部１０１、第２受光部１０２及び第３受光部１０３を含み、少なくとも２以上の層構造を有する。
【００２３】
例えば、上層には、第１受光部１０１と第２受光部１０２とが形成され、下層には、第３受光部１０３が形成されることが可能である。この際、それぞれの受光部１０１、１０２、１０３は、半導体工程を用いて製作されたシリコン素子からなりうる。したがって、光が入射される場合、波長が相対的に短い光はシリコン層の上部で吸収され、波長が相対的に長い光はシリコン層の下部で吸収されることが可能である。
【００２４】
それぞれの受光部１０１、１０２、１０３は、入射された光を感知し、その感知された光量を電気的な信号に変換して出力する方式で光を検出するフォトダイオードの使用が可能で、各受光部１０１、１０２、１０３から検出される光は相異なる種類であり得る。
【００２５】
例えば、前記イメージセンサーに入射される光は、図２のように、その波長によって紫外領域、可視領域、赤外領域に区分することができる。ここで、可視領域の特定領域に該当する光（例えば、２０１）は第１受光部１０１から検出され、前記可視領域のあらゆる領域に該当する光（例えば、２００）は第２受光部１０２から検出され、前記赤外領域に該当する光（例えば、２０２）は第３受光部１０３から検出されることが可能である。
【００２６】
このために、第１受光部１０１は、前記光スペクトルの可視領域の特定領域に該当する光（例えば、赤色光、緑色光、青色光など）に対する色情報を抽出するフォトダイオードが使われる。ここで、光に対する色情報は、ＲＧＢ信号またはＣＭＹ信号などになりうる。本実施形態では、第１受光部１０１として、光に対するＲＧＢ信号を検出するＲＧＢセンサーが使われたが、必ずしもこれに限定されず、それ以外にも光に対する色情報を検出することができる光センサーが多様に利用されうる。
また、第２受光部１０２は、可視領域のあらゆる領域に該当する光（例えば、白色光）を検出するフォトダイオードが使われ、第３受光部１０３は、赤外領域に該当する光（例えば、赤外光）を検出するフォトダイオードが使われる。
【００２７】
この際、上層に備えられる第１受光部１０１または第２受光部１０２は、下層に備えられる第３受光部１０３が赤外領域に該当する光を検出できるように、前記赤外領域に該当する光を吸収せずにそのまま透過させることが可能である。
【００２８】
それぞれの受光部１０１、１０２、１０３は、半導体工程を用いて製作されたシリコン素子からなり、光の波長によって吸収されるシリコン層の深さ（または、位置）が異なるので、第１受光部１０１及び第２受光部１０２では、可視領域に該当する光が吸収され、第３受光部１０３では、それより長波長である赤外領域に該当する光が吸収されることができる。
【００２９】
第１受光部１０１及び第２受光部１０２から検出される光の種類は、イメージセンサーに付着されるカラーフィルターによって決定されることが可能である。
【００３０】
図３は、このようなカラーフィルターに対する一例を示す。図３を参照するに、前記カラーフィルターは、カラーパート１０４と透明パート１０５とを含む。また、このカラーフィルターは、赤外線遮断機能のないカラーフィルターである。したがって、入射される赤外光をすべて透過させることができる。
【００３１】
カラーパート１０４は、光スペクトルの可視領域の特定領域に該当する光（例えば、赤色、緑色、青色など）と赤外領域に該当する光（例えば、赤外光）とを透過させる部分である。透明パート１０５は、前記光スペクトルのあらゆる領域に該当する光を透過させる部分である。例えば、図２を参照するに、カラーパート１０４は、可視領域２００のうち一部（例えば、２０１）と赤外領域２０２とを通過させ、透明パート１０５は、可視領域の全部２００と赤外領域２０２とを通過させると理解することができる。
【００３２】
このため、カラーパート１０４は、赤色光、緑色光または青色光を選択的に透過させ、赤外線遮断機能のないＲＧＢフィルターが利用され、透明パート１０５は、ガラス、プラスチックのような透明な物体が使われる。例えば、図３で、Ｒ、Ｇ、Ｂは、それぞれ赤色光、緑色光、青色光の選択的な透過を表わし、Ｗは、前記光がすべて合わせられた白色光が透過されることを表わす。
【００３３】
言い換えれば、本発明の一実施形態によるカラーフィルターは、赤外領域に該当する光はすべて通過させ、カラーパート１０４を通じてＲＧＢのような色情報を有する光のみ選択的に通過させ、透明パート１０４を通じてすべての光を通過させることが可能である。
【００３４】
このようなカラーフィルターを図１のイメージセンサー上に載せることを考えれば、カラーパート１０４の下部には、第１受光部１０１が配され、透明パート１０５の下部には、第２受光部１０２が配されることが可能である。
【００３５】
このような場合、第１受光部１０１には、カラーパート１０４のフィルタリング特性を通じて特定領域に該当する光のみ結像され、第２受光部１０２には、透明パート１０５の全透過特性を通じて白色光が結像されることが可能である。
【００３６】
図４は、本発明の一実施形態によってカラーフィルターが備えられたイメージセンサーの概略的な断面を示す。図４を参照するに、前記イメージセンサーは、カラーフィルター１０６と多数の受光部１０１、１０２、１０３とを含む。
【００３７】
カラーフィルター１０６は、前述したように、カラーパート１０４と透明パート１０５とを含み、赤外線遮断機能を備えない。例えば、赤色、緑色または青色の光のみ選択的に透過させるＲＧＢフィルターが、カラーパート１０４と、透明プラスチックが、透明パート１０５として使われる。
【００３８】
カラーパート１０４の下部には、第１受光部１０１が配され、透明パート１０５の下部には、第２受光部１０２が配される、第１受光部１０１と第２受光部１０２は、同一の平面上に位置することが可能である。第３受光部１０３は、第１受光部１０１または第２受光部１０２の下部に配される。
【００３９】
本実施形態によるイメージセンサーが、デジタルカメラに使われる場合、被写体から反射された光は所定のレンズを経て前記イメージセンサーに入射される。入射される光は、先にカラーフィルター１０６を通過するが、カラーフィルター１０６に到逹した光のうちカラーパート１０４に到逹した光は、カラーパート１０４のフィルタリング特性によって特定波長の光のみ通過する。例えば、カラーパート１０４としてＲＧＢフィルターが使われる場合、カラーパート１０４の下部に位置した第１受光部１０１には、赤色、緑色または青色に該当する光のみ選択的に入力される。また、透明パート１０５に到逹した光は、カラーパート１０４とは異なりフィルタリングされずにすべて透明パート１０５を通過して第２受光部１０２に到逹する。
【００４０】
したがって、第１受光部１０１では、光スペクトルの特定領域に該当する光のみ選択的に透過させるカラーパート１０４を通じてＲＧＢ信号のような色情報が感知され、第２受光部１０２では、光スペクトルのあらゆる領域に該当する光を透過させる透明パート１０５を通じてホワイト（Ｗｈｉｔｅ）信号のような輝度情報が感知されることが可能である。
【００４１】
また、カラーフィルター１０６には、赤外線遮断機能がなく、第１受光部１０１及び第２受光部１０２は、赤外線を通過させる特性を有するので、第１受光部１０１及び第２受光部１０２の下部に形成される第３受光部１０３では、赤外領域に該当する光が感知されることが可能である。
【００４２】
一方、本発明の他の実施形態として、第１受光部１０１は、複数個が一つの単位を成してＲＧＢ画素部１１１で構成されうる。例えば、３個の第１受光部１０１が集まって、それぞれＲ、Ｇ、Ｂ信号を検出することが可能である。また、第２受光部１０２及び第３受光部１０３が一体に形成されて、Ｗ＋ＩＲ画素部１１２で構成されうる。例えば、Ｗ画素部は、ＲＧＢ画素部１１１と同一平面で白色光を検出する第２受光部１０２が、ＩＲ画素部はＲＧＢ画素部１１１が形成された層の下部で赤外光を検出する第３受光部１０３になりうる。
【００４３】
このように、平面的に配列された複数個の第１受光部１０１を通じて色情報をそれぞれ抽出すれば、色成分間のクロストークを減らし、第２受光部１０２及び第３受光部１０３を通じて色情報の以外にホワイト（ｗｈｉｔｅ）情報及びＩＲ情報のような付加的な情報も抽出することができて、低照度環境で高感度の映像を獲得することが可能である。
【００４４】
図５は、本発明の他の実施形態によるイメージセンサーを示す。図５を参照するに、前記イメージセンサーは、図１のように、上下に積層された構造を有し、多数の受光部１０１、１０２、１０３で構成される。これは、上層に備えられた第１受光部１０１と第２受光部１０２との配置を変更することに関する一例であって、その配置が、必ずしもこれに限定されない。例えば、上層中央部に第２受光部１０２を配置し、その周辺に第１受光部１０１を配置することもできる。
【００４５】
しかし、如何なる場合にも、第１受光部１０１の上側には、光スペクトルの特定領域に該当する光のみ透過させるカラーフィルター（例えば、前記カラーパート）が備えられ、第２受光部１０２の上側には、あらゆる領域の光を透過させるカラーフィルター（例えば、前記透明パート）を備えなければならないことはいうまでもない。例えば、このような構造では、図６で例示したカラーフィルターが使われる。図６で、Ｒ、Ｇ、Ｂは、それぞれ赤色、緑色、青色光のみ選択的に透過させるカラーパート１０４を、Ｗは、すべての光を透過させる透明パート１０５を示すものであって、具体的な内容は前述した通りである。
【００４６】
また、図５で、第１受光部１０１は、３個が集まって一つの単位を成すことができる。例えば、３個の第１受光部１０１は、光スペクトルの可視領域に該当する光のうち赤色光、緑色光または青色光を選択的に検出するＲＧＢ画素部１１１になりうる。また、第２受光部１０２及び第３受光部１０３が一体に形成されて、前記光スペクトルの可視領域に該当するすべての光と、赤外領域に該当する光を検出するＷ＋ＩＲ画素部１１２で構成されることが可能である。例えば、第２受光部１０２は、ＲＧＢ画素部１１１と同一平面で白色光を検出するＷ画素部として利用され、第３受光部１０３は、ＲＧＢ画素部１１１の下層部で赤外光を検出するＩＲ画素部として利用されることが可能である。
【００４７】
一方、前述した実施形態では、第２受光部１０２と第３受光部１０３とが一体に形成されることを例示したが、これと異なり各受光部が独立的に形成されることも可能である。例えば、図９及び図１０を参照するに、図４とは異なり、第２受光部１０２と第３受光部１０３とが一体に形成されずに独立的に形成されることが分かる。
【００４８】
また、第２受光部１０２と第３受光部１０３とが一体に形成される場合においても、図１１のように、第３受光部１０３が、第２受光部１０２の下部にのみ形成されることも可能である。
【００４９】
図７は、本発明の一実施形態によるイメージセンサーのリードアウト連結を示す。図７で、Ｒ、Ｇ、Ｂは、第１受光部１０１で構成されたＲＧＢ画素部１１１を、Ｗ＋ＩＲは、第２受光部１０２及び第３受光部１０３で構成されたＷ＋ＩＲ画素部１１２を表わす（図５参照）。
【００５０】
図示のように、ＲＧＢ画素部１１１とＷ＋ＩＲ画素部１１２は、別途のリードアウト回路によってそれぞれ相異なる制御部１０７、１０８に連結されることが可能である。
【００５１】
ここで、制御部１０７、１０８は、各画素部１１１、１１２から出力された電気的信号をデジタル信号に変換するか、各画素部１１１、１１２の露出時間を調節するなどの各種制御機能を有する部分を意味する。制御部１０７、１０８を二つ示したのは、ＲＧＢ画素部１１１とＷ＋ＩＲ画素部１１２とを別途に制御することができることを強調するためであり、必ずしも２個の制御部１０７、１０８が要求されるのではない。
【００５２】
ＲＧＢ画素部１１１とＷ＋ＩＲ画素部１１２とに入力される光は、その波長領域が異なるために各画素部１１１、１１２の光露出時間が調節される必要がある。言い換えれば、Ｗ＋ＩＲ画素部１１２には、特別なフィルタリングなしにすべての波長の光が入射されるので、ＲＧＢ画素部１１１に比べて相対的に光露出時間が短くなければならない。このような光露出時間は、図８のような制御信号によって調節されることが可能である。
【００５３】
図８を参照するに、ＲＧＢ画素部１１１とＷ＋ＩＲ画素部１１２とに別途の制御信号が印加されることが分かる。このような制御信号は、制御部１０７、１０８によって各画素部１１１、１１２に提供されることができる。図８で、制御信号がＨｉｇｈである時、画素部１１１、１１２が光に露出されると仮定すれば、Ｗ＋ＩＲ画素部１１２の光露出時間がＲＧＢ画素部１１１の光露出時間より相対的に短く調節されることが分かる。
【００５４】
このように、別途の制御信号を用いて光にさらに敏感なＷ＋ＩＲ画素部１１２の光露出時間を、光にそれほど敏感ではないＲＧＢ画素部１１１の光露出時間より短くして高画質の映像を得ることが可能である。
【００５５】
以上、本発明の実施形態について説明したが、本発明は、前述した特定の実施形態に限定されない。すなわち、当業者ならば、特許請求の範囲の思想及び範疇を逸脱せず、本発明に対する多数の変更及び修正が可能であり、そのようなすべての適切な変更及び修正の均等物も、本発明の範囲に属するものと見なされなければならない。
【産業上の利用可能性】
【００５６】
本発明は、カラー映像と、ＩＲ情報を含む白黒映像とを同時に獲得することができる積層型イメージセンサー関連の技術分野に適用可能である。
【符号の説明】
【００５７】
１０１  第１受光部
１０２  第２受光部
１０３  第３受光部
１０４  カラーパート
１０５  透明パート
１０６  カラーフィルター
１１１  ＲＧＢ画素部
１１２  Ｗ＋ＩＲ画素部
１０７、１０８  制御部
２００  可視領域
２０２  赤外領域
【図１】
0006198366.tif 000002
【図２】
0006198366.tif 000003
【図３】
0006198366.tif 000004
【図４】
0006198366.tif 000005
【図５】
0006198366.tif 000006
【図６】
0006198366.tif 000007
【図７】
0006198366.tif 000008
【図８】
0006198366.tif 000009
【図９】
0006198366.tif 000010
【図１０】
0006198366.tif 000011
【図１１】
0006198366.tif 000012